(57)【要約】【課題】番組記録の度にユーザが記録先を指定しなくても、ユーザ別に格納先を決定することができる情報処理装置を提供することである。【解決手段】情報処理装置は、記憶手段と、特定手段と、制御手段とを備える。前記記憶手段は、ユーザ用の番組の格納先を管理する管理情報を記憶する。前記特定手段は、ユーザ特定情報に基づきユーザを特定する。前記制御手段は、前記管理情報及びユーザ特定結果に基づき、記録番組の格納先を決定する。【選択図】図１
2013131966.tif 000002
【特許請求の範囲】
【請求項１】
ユーザ用の番組の格納先を管理する管理情報を記憶する記憶手段と、
ユーザ特定情報に基づきユーザを特定する特定手段と、
前記管理情報及びユーザ特定結果に基づき、記録番組の格納先を決定する制御手段と、
を備える情報処理装置。
【請求項２】
前記決定した格納先を案内する案内手段と、
前記決定した格納先の同意又は前記決定した格納先の変更を受け付ける受付手段と、
を備える請求項１の情報処理装置。
【請求項３】
前記制御手段は、前記同意又は前記変更の受け付けに対応して、前記記録番組を前記決定した格納先又は変更された格納先へ格納する請求項２の情報処理装置。
【請求項４】
番組の記録指示を受け付ける受付手段を備え、
前記制御手段は、前記記録指示の受け付けタイミングで特定されているユーザに対応付けられた格納先へ、前記記録指示に対応して記録された前記記録番組を格納する請求項１の情報処理装置。
【請求項５】
番組の記録予約を受け付ける受付手段を備え、
前記制御手段は、前記記録予約の受け付けタイミングで特定されているユーザに対応付けられた格納先へ、前記記録予約に対応して記録された前記記録番組を格納する請求項１の情報処理装置。
【請求項６】
番組の記録予約及びユーザ特定情報を受信する受信手段を備え、
前記制御手段は、前記ユーザ特定情報に基づき特定されたユーザに対応付けられた格納先へ、前記記録予約に対応して記録された前記記録番組を格納する請求項１の情報処理装置。
【請求項７】
番組を再生する再生手段を備え、
前記制御手段は、前記ユーザ特定結果を反映した番組再生履歴を記録する請求項１の情報処理装置。
【請求項８】
前記再生手段は、前記記録番組を再生し、
前記制御手段は、前記ユーザ特定結果を反映した記録番組再生履歴を記録する請求項７の情報処理装置。
【請求項９】
前記制御手段は、前記記録番組再生履歴に基づき前記記録番組を削除する請求項８の情報処理装置。
【請求項１０】
ユーザ特定情報に基づきユーザを特定し、
ユーザに対応付けられた格納先を管理する管理情報、及びユーザ特定結果に基づき、記録番組の格納先を決定する情報処理方法。
【発明の詳細な説明】
【技術分野】
【０００１】
本発明の実施形態は、情報処理装置及び情報処理方法に関する。
【背景技術】
【０００２】
近年、デジタルレコーダ及び番組記録機能を備えたデジタルＴＶが普及している。これらの映像記録機器は、例えば、予め指定された格納先へ記録番組を格納する。例えば、ユーザが、リモートコントローラ等を介してハードディスク又は光ディスクを格納先として指定しておけば、これらの映像記録機器は、指定されたハードディス又は光ディスクへ記録番組を格納する。また、ユーザが、リモートコントローラ等を介して任意のフォルダを格納先として指定しておけば、これらの映像記録機器は、指定された任意のフォルダへ記録番組を格納する。
【０００３】
さらに、番組のジャンルに応じた格納先へ記録番組を格納する映像記録機器もある。例えば、映像記録機器は、ドラマ、スポーツ、映画などのジャンル別のフォルダを用意し、番組に付属の番組情報に基づき番組のジャンルを検出し、ジャンル検出結果に基づき記録番組の格納先を決定し、決定した格納先へ記録番組を格納する。
【先行技術文献】
【特許文献】
【０００４】
【特許文献１】特許第４３３３４８１号公報
【発明の概要】
【発明が解決しようとする課題】
【０００５】
各ユーザが所望の格納先に記録番組を格納したいという要望がある。番組記録の度に、各ユーザが格納先を指定すれば、各ユーザが所望の格納先に記録番組を格納することができる。しかし、このような格納先の指定作業は不便である。
【０００６】
本発明の目的は、番組記録の度にユーザが記録先を指定しなくても、ユーザ別に格納先を決定することができる情報処理装置及び情報処理方法を提供することである。
【課題を解決するための手段】
【０００７】
実施形態の情報処理装置は、記憶手段と、特定手段と、制御手段とを備える。前記記憶手段は、ユーザ用の番組の格納先を管理する管理情報を記憶する。前記特定手段は、ユーザ特定情報に基づきユーザを特定する。前記制御手段は、前記管理情報及びユーザ特定結果に基づき、記録番組の格納先を決定する。
【図面の簡単な説明】
【０００８】
【図１】実施形態に係る映像音声記録装置の概略構成の一例を示すブロックである。
【図２】実施形態に係るユーザの初期登録手順の一例を示すフローチャートである。
【図３】実施形態に係るユーザ別記録先情報（管理情報）に基づく番組の記録制御（格納制御）の一例を示すフローチャートである。
【図４】実施形態に係るユーザ別視聴履歴（ユーザ別再生履歴）の記録処理の一例を示すフローチャートである。
【図５】実施形態に係るユーザ別の視聴履歴情報に基づくタイトル削除の一例を示すフローチャートである。
【図６】実施形態に係る記録先案内画面の一例を示す図である。
【図７】実施形態に係る視聴履歴画面（タイトル別）の第１例を示す図である。
【図８】実施形態に係る視聴履歴画面（ユーザ別）の第２例を示す図である。
【図９】実施形態に係るメインユーザの視聴履歴画面の一例を示す図である。
【図１０】実施形態に係るメインユーザの視聴履歴画面（８０％以上視聴）の一例を示す図である。
【発明を実施するための形態】
【０００９】
以下、実施形態について図面を参照して説明する。
【００１０】
図１は、実施形態に係る映像音声記録装置の概略構成の一例を示すブロックである。映像音声記録装置は、番組を表示する表示部を有さない各種レコーダであってもよいし、番組を表示する表示部を有するデジタルＴＶであってもよい。
【００１１】
映像音声記録装置は、チューナ部１、エンコーダ部２、記録再生部３、データプロセッサ３１、デコーダ部４、ユーザ操作入力部５、カメラ６、マイク７、通信部８、ユーザ検知部９、制御部（制御モジュール）１０、残量検出部１１、表示部１２、メモリ１３、ＯＳＤ（On Screen Display）処理部１５を備える。
【００１２】
映像音声記録装置の記録再生部３は、ユーザ操作入力部５で受信した記録指示に応じて、入力された映像、音声情報を所定の記録媒体３２に記録する。また、映像音声記録装置の記録再生部３は、ユーザ操作入力部５で受信した再生指示に応じて、入力された映像、音声情報、又は既に記録されている映像、音声情報を再生する。
【００１３】
チューナ部１は、アンテナにより受信した地上波放送、衛星放送信号を復調する。また、チューナ部１は、例えば放送事業者などに代表される情報配信者から配信される映像、音声信号を受信する。エンコーダ部２には、チューナ部１及びＡＶ入力端子が接続され、エンコーダ部２は、チューナ部１又はＡＶ入力端子から入力された映像、音声信号をエンコードする。
【００１４】
データプロセッサ３１は、制御部１０の制御にしたがって、エンコーダ部２から出力された記録データをデコーダ部４に供給する。また、データプロセッサ３１は、制御部１０の制御にしたがって、エンコーダ部２から出力された記録データを記録メディア３２に供給したり、記録メディア３２からの再生信号をデコーダ部４に供給したりする。さらにデータプロセッサ３１は、制御部１０の制御にしたがって、記録メディア３２に記録された管理情報を書き換えたり、記録されたデータを削除したりする。デコーダ部４は、記録再生部３から出力された映像、音声情報をデコードする。表示部２０は、デコードされた映像情報を表示し、スピーカ２１は、デコードされた音声情報を出力する。
【００１５】
ユーザ操作入力部５は、リモートコントローラなどからユーザの再生、記録、チャンネル選局、音量コントロール指示を受信し、また、ユーザの直接的な再生、記録、チャンネル選局、音量コントロール指示を受け付け、これら指示を制御部１０へ通知する。
【００１６】
制御部１０は、映像音声記録装置の各部の動作を制御する。制御部１０には、映像音声記録装置の動作状態を表示する表示部１２、録画可能時間を検出する残量検出部１１が接続されている。
【００１７】
カメラ６は、例えば映像音声記録装置に対向する位置を撮影し、撮影データをユーザ検知部９へ出力する。また、マイク７は、入力音声をユーザ検知部９へ出力する。なお、カメラ６は、ユーザ登録モード又はユーザ認識モードの実行に対応して、映像を撮影してもよいし、映像音声記録装置の電源投入に対応して、常時、映像を撮影してもよい。同様に、マイク７は、ユーザ登録モード又はユーザ認識モードの実行に対応して、映像を撮影してもよいし、映像音声記録装置の電源投入に対応して、常時、映像を撮影してもよい。
【００１８】
ユーザ検知部９は、ユーザ登録モードの実行（ユーザからのユーザ登録モードの要求に対応したユーザ認識モードの実行）に対応して、カメラ６からの撮影データを解析し、人物（顔画像）の画像特徴情報を抽出する。さらに、制御部１０が、ユーザ登録モードの実行に対応して、ユーザ操作入力部５を介して入力されたユーザ情報と、上記抽出された画像特徴情報（ユーザ特定情報）とを対応付けてメモリ（不揮発性メモリ）１３に登録する。又は、ユーザ検知部９は、ユーザ登録モードの実行に対応して、マイク７からの入力音声を解析し、人物（音声）の音声特徴情報を抽出する。さらに、制御部１０が、ユーザ登録モードの実行に対応して、ユーザ操作入力部５を介して入力されたユーザ情報と、上記抽出された音声特徴情報（ユーザ特定情報）とを対応付けてメモリ（不揮発性メモリ）１３に登録する。
【００１９】
ユーザ検知部９は、ユーザ認識モードの実行（例えば、ユーザからのユーザ認識モードの要求に対応したユーザ認識モードの実行、又はユーザ登録モードを実行していない間）に対応して、カメラ６からの撮影データを解析し、人物（顔画像）の画像特徴情報を抽出する。さらに、ユーザ検知部９は、抽出した画像特徴情報と登録された画像特徴情報とを照合し、抽出した画像特徴情報と登録された画像特徴情報との類似度を算出し、閾値より高い類似度が得られた場合に、抽出した画像特徴情報と登録された画像特徴情報とを同一人物の情報と判断し、ユーザ（ユーザ情報）を特定（検知）する。
【００２０】
又は、ユーザ検知部９は、ユーザ認識モードの実行（例えばユーザ登録モードを実行していない間）に対応して、マイク７からの音声データを解析し、人物（音声）の音声特徴情報を抽出する。さらに、ユーザ検知部９は、抽出した音声特徴情報と登録された音声特徴情報とを照合し、抽出した音声特徴情報と登録された音声特徴情報との類似度を算出し、閾値より高い類似度が得られた場合に、抽出した音声特徴情報と登録された音声特徴情報とを同一人物の情報と判断し、ユーザ（ユーザ情報）を特定（検知）する。
【００２１】
なお、複数のユーザ（メインユーザ及びその他の複数のユーザ）の情報を登録することにより、複数のユーザの特定（検知）が可能となる。
【００２２】
図２は、ユーザの初期登録手順の一例を示すフローチャートである。ユーザ検知部９は、ユーザ登録モードの実行に対応して、撮影データを解析し、人物（顔画像）の画像特徴情報を抽出する。さらに、制御部１０が、ユーザ登録モードの実行に対応して、ユーザ操作入力部５を介して入力されたユーザ情報と画像特徴情報（ユーザ特定情報）とを対応付けてメモリ（不揮発性メモリ）１３に登録する(ＳＴ１０１)。
【００２３】
さらに、制御部１０は、ユーザ別の記録先（格納先）が未設定の場合に(ＳＴ１０２、ＹＥＳ)、ユーザ別の記録先の設定を要求する。これに対応して、ＯＳＤ処理部１５は、ユーザ別記録先を設定するための「ユーザ別記録先設定画面」を表示するための表示情報を生成し、出力する。これに対応して、映像音声記録装置に接続された表示部２０は、ユーザ別記録先設定画面を表示する(ＳＴ１０３)。
【００２４】
ユーザは、ユーザ操作入力部５を介して、ユーザ別の記録先（格納先）を指定することができ、これに対応して、制御部１０は、ユーザ別の記録先を設定する(ＳＴ１０４)。つまり、制御部１０は、ユーザ情報と画像特徴情報（ユーザ特定情報）と記録先（ユーザ別記録先情報）とを対応付けてメモリ１３に登録する。ユーザ別の記録先として、各種記録メディア（光ディスク、内蔵ハードディスク、外付けハードディスク、メモリカード）を指定することもできるし、さらに、各種記録メディアの中の任意のフォルダ（記録場所）を指定することもできる。
【００２５】
図３は、ユーザ別記録先情報（管理情報）に基づく番組の記録制御（格納制御）の一例を示すフローチャートである。
【００２６】
映像音声記録装置の電源が投入され、ユーザ検知部９は、ユーザを検知（特定）する（ＳＴ２０１）。ユーザ検知部９が、最初に検知したユーザをメインユーザとする（ＳＴ２０２）。メインユーザを決定後、ユーザ検知部９が、新たに別のユーザを検知した場合（ＳＴ２０３、ＹＥＳ）、制御部１０は、メインユーザを新たに検知した別のユーザへ変更するか、又は「メインユーザ切り替え画面」の表示を要求する。これに対応して、ＯＳＤ処理部１５は、「メインユーザ切り替え画面」を表示するための表示情報を生成し、出力し、表示部２０は、メインユーザ切り替え画面を表示する。ユーザは、ユーザ操作入力部５を介して、メインユーザ切り替え画面からメインユーザの切り替えを指定することができ（ＳＴ２０４、ＹＥＳ）、これに対応して、制御部１０は、メインユーザを切り替える(ＳＴ２０５)。
【００２７】
なお、メインユーザの設定は、上記に限らず、例えば、ユーザ検知部９が、最初に検知したユーザをメインユーザとして固定してもよいし、最後に検知したユーザをメインユーザとしてもよい。また、ユーザ検知部９は、最後に検知したユーザが居なくなった場合には（検知エリア外への移動が検知された場合には）、直前に検知されたユーザをメインユーザとしてもよい。
【００２８】
また、ユーザ検知部９が、複数のユーザを検知（特定）した場合、複数のユーザの位置等に基づき複数のユーザの中からメインユーザを選択（特定）する。さらに、制御部１０が、「メインユーザ切り替え画面」の表示を要求し、表示部２０がメインユーザ切り替え画面を表示する。ユーザは、ユーザ操作入力部５を介して、メインユーザ切り替え画面上で、メインユーザの切り替えを指定することができ、これに対応して、制御部１０は、メインユーザを切り替える。
【００２９】
続いて、ユーザが、ユーザ操作入力部５を介して、番組記録を指示すると、制御部１０は、記録指示を検知し（ＳＴ２０６、ＹＥＳ）、制御部１０は、メインユーザ（ユーザ情報）に対応付けられた記録先情報に基づき、記録先案内画面の表示を要求し、表示部２０は、図６に示す記録先案内画面を表示する（ＳＴ２０７）。図６は、記録先案内画面の一例を示す図である。
【００３０】
ユーザが、ユーザ操作入力部５を介して、記録先案内画面から記録先の変更を指示し（ＳＴ２０８、ＹＥＳ）、変更記録先を指定すると、制御部１０は、記録先を変更する（ＳＴ２０９）。つまり、制御部１０は、変更記録先を新たな記録先として設定する。なお、ユーザが、ユーザ操作入力部５を介して、記録先案内画面から記録先の変更を指示せずに、記録先の確定（ＯＫ）を指示すると、制御部１０は、確定された記録先を設定する。
【００３１】
記録再生部３は、記録指示に応じて、番組（映像音声情報）の記録を開始し（ＳＴ２１０）、目的の番組の記録が完了すると、番組の記録を終了する（ＳＴ２１１）。このとき、記録再生部３は、設定された記録先に番組を記録する。即ち、記録再生部３は、記録指示の受け付けタイミング（ＳＴ２０６）で特定されているユーザに対応付けられた記録先へ、前記記録指示に対応して記録された記録番組を格納する。
【００３２】
なお、上記説明では、ワンタッチ記録に相当する記録指示に対応した記録番組の格納先制御について説明したが、記録予約に対応した記録番組の格納先制御であってもよい。ここで、記録予約に対応した記録番組の格納先制御について説明する。
【００３３】
例えば、映像音声記録装置のチューナ部１は、放送信号を介して電子番組ガイドを受信することができ、表示部２０は、電子番組ガイドを表示することができる。また、映像音声記録装置の通信部８が、電子番組ガイドを受信することもできる。ユーザは、ユーザ操作入力部５を介して、表示部２０により表示された電子番組ガイドから、番組を選択し、番組の記録を予約することができる。メモリ１３は、記録予約リストに、番組の記録予約を登録する。記録再生部３は、記録予約に基づき番組を記録する。即ち、記録再生部３は、記録予約の受け付けタイミングで特定されているユーザに対応付けられた記録先へ、前記記録予約に対応して記録された記録番組を格納する。
【００３４】
さらに、スマートフォン、タブレットＰＣ等の通信端末３０からの記録予約に対応した記録番組の格納先制御について説明する。
【００３５】
通信端末３０は、サーバへアクセスして、電子番組ガイドを受信し、電子番組ガイドを表示することができる。ユーザは、通信端末３０のタッチパネルを介して、表示された電子番組ガイドから、番組を選択し、番組の記録を予約することができる。これに対応して、通信端末３０は、番組の記録予約情報及びユーザ情報を送信する。映像音声記録装置の通信部８は、通信端末３０からの番組の記録予約情報及びユーザ情報を受信する。映像音声記録装置の記録再生部３は、受信した記録予約に基づき番組を記録する。即ち、記録再生部３は、受信したユーザ情報に対応付けられた記録先へ、受信した記録予約に対応して記録された記録番組を格納する。
【００３６】
図４は、ユーザ別視聴履歴（ユーザ別再生履歴）の記録処理の一例を示すフローチャートである。
【００３７】
映像音声記録装置の電源が投入され、ユーザ検知部９は、ユーザを検知（特定）する（ＳＴ３０１）。ユーザ検知部９が、最初に検知したユーザをメインユーザとする（ＳＴ３０２）。メインユーザを決定後、ユーザ検知部９が、新たに別のユーザを検知した場合（ＳＴ３０３、ＹＥＳ）、制御部１０は、メインユーザを新たに検知した別のユーザへ変更するか、又は「メインユーザ切り替え画面」の表示を要求する。これに対応して、ＯＳＤ処理部１５は、「メインユーザ切り替え画面」を表示するための表示情報を生成し、出力し、表示部２０は、メインユーザ切り替え画面を表示する。ユーザは、ユーザ操作入力部５を介して、メインユーザ切り替え画面からメインユーザの切り替えを指定することができ（ＳＴ３０４、ＹＥＳ）、これに対応して、制御部１０は、メインユーザを切り替える(ＳＴ３０５)。
【００３８】
なお、メインユーザの設定は、上記に限らず、例えば、ユーザ検知部９が、最初に検知したユーザをメインユーザとして固定してもよいし、最後に検知したユーザをメインユーザとしてもよい。また、ユーザ検知部９は、最後に検知したユーザが居なくなった場合には（居なくなったことが検知された場合には）、直前に検知されたユーザをメインユーザとしてもよい。
【００３９】
また、ユーザ検知部９が、複数のユーザを検知（特定）した場合、複数のユーザの位置等に基づき複数のユーザの中からメインユーザを選択（特定）する。さらに、制御部１０が、「メインユーザ切り替え画面」の表示を要求し、表示部２０がメインユーザ切り替え画面を表示する。ユーザは、ユーザ操作入力部５を介して、メインユーザ切り替え画面上で、メインユーザの切り替えを指定することができ、これに対応して、制御部１０は、メインユーザを切り替える。
【００４０】
続いて、ユーザが、ユーザ操作入力部５を介して、タイトル表示（記録リスト表示）を指示すると、制御部１０は、タイトル表示指示を検知し（ＳＴ３０６、ＹＥＳ）、制御部１０は、メインユーザ（ユーザ情報）に対応付けられた記録先情報に基づき、メインユーザに対応付けられた記録先に記録されたタイトル（番組）の表示を要求し、表示部２０は、タイトルを表示する（ＳＴ３０９）。ユーザが、ユーザ操作入力部５を介して、別の記録先のタイトル表示（タイトル表示変更）を要求すると（ＳＴ３０７、ＹＥＳ）、制御部１０は、タイトル表示変更を検出し（ＳＴ３０８）、表示部２０は、別の記録先のタイトルを表示する（ＳＴ３０９）。
【００４１】
ユーザは、ユーザ操作入力部５を介して、表示されたタイトルの中から再生したいタイトルを選択することができる。タイトルが選択されると（ＳＴ３１０）、記録再生部３は、選択されたタイトルの再生を開始する（ＳＴ３１１）。制御部１０は、タイトルの再生に対応して、メインユーザ（特定されているユーザ）によるタイトルの視聴履歴をメモリ１３に記録する（ＳＴ３１２）。つまり、制御部１０は、ユーザ特定結果を反映したタイトルの視聴履歴をメモリ１３に記録する。例えば、制御部１０は、選択されたタイトルの視聴時間、選択されたタイトルの全再生時間に対する視聴済みの割合（視聴割合）を記録する。
【００４２】
さらに、ユーザ検知部９が、メインユーザ（特定されているユーザ）が居なくなったことを検知すると（ＳＴ３１３）、つまり、検知エリア外へのメインユーザの移動を検知すると、この検知に対応して、制御部１０は、タイトルの視聴履歴の記録を停止する（ＳＴ３１４）。また、ユーザ検知部９が、メインユーザ（特定されているユーザ）が戻ったことを検知すると（ＳＴ３１５、ＹＥＳ）、つまり、検知エリア内へのメインユーザの移動を検知すると、この検知に対応して、制御部１０は、タイトルの視聴履歴の記録を再開する（ＳＴ３１６）。
【００４３】
ユーザが、ユーザ操作入力部５を介して、タイトルの再生停止を指示すると、記録再生部３は、タイトルの再生を停止し（ＳＴ３１７）、これに対応して、制御部１０は、タイトルの視聴履歴の記録を終了する（ＳＴ３１８）。
【００４４】
このようにして、映像音声記録装置は、タイトル毎にユーザ別の視聴履歴情報を保持する。例えば、メモリ１３に視聴履歴情報が格納される。図７は、視聴履歴画面（タイトル別）の第１例を示す図である。また、図８は、視聴履歴画面（ユーザ別）の第２例を示す図である。ユーザは、ユーザ操作入力部５を介して、視聴履歴の表示を指示することができ、制御部１０は、視聴履歴の表示指示に対応して、視聴履歴の表示を指示する。これに対応して、表示部２０は、図７又は図８に示すような視聴履歴画面を表示する。
【００４５】
なお、上記説明では、ユーザ特定結果を反映した記録タイトル（記録番組）の視聴履歴の記録について説明したが、同様にして、ユーザ特定結果を反映した放送番組の視聴履歴を記録することもできる。
【００４６】
図５は、ユーザ別の視聴履歴情報に基づくタイトル削除の一例を示すフローチャートである。
【００４７】
映像音声記録装置の電源が投入され、ユーザ検知部９は、ユーザを検知（特定）する（ＳＴ４０１）。ユーザ検知部９が、最初に検知したユーザをメインユーザとする（ＳＴ４０２）。メインユーザを決定後、ユーザ検知部９が、新たに別のユーザを検知した場合（ＳＴ４０３、ＹＥＳ）、制御部１０は、メインユーザを新たに検知した別のユーザへ変更するか、又は「メインユーザ切り替え画面」の表示を要求する。これに対応して、ＯＳＤ処理部１５は、「メインユーザ切り替え画面」を表示するための表示情報を生成し、出力し、表示部２０は、メインユーザ切り替え画面を表示する。ユーザは、ユーザ操作入力部５を介して、メインユーザ切り替え画面からメインユーザの切り替えを指定することができ（ＳＴ４０４、ＹＥＳ）、これに対応して、制御部１０は、メインユーザを切り替える(ＳＴ４０５)。
【００４８】
なお、メインユーザの設定は、上記に限らず、例えば、ユーザ検知部９が、最初に検知したユーザをメインユーザとして固定してもよいし、最後に検知したユーザをメインユーザとしてもよい。また、ユーザ検知部９は、最後に検知したユーザが居なくなった場合には（居なくなったことが検知された場合には）、直前に検知されたユーザをメインユーザとしてもよい。
【００４９】
また、ユーザ検知部９が、複数のユーザを検知（特定）した場合、複数のユーザの位置等に基づき複数のユーザの中からメインユーザを選択（特定）する。さらに、制御部１０が、「メインユーザ切り替え画面」の表示を要求し、表示部２０がメインユーザ切り替え画面を表示する。ユーザは、ユーザ操作入力部５を介して、メインユーザ切り替え画面上で、メインユーザの切り替えを指定することができ、これに対応して、制御部１０は、メインユーザを切り替える。
【００５０】
続いて、ユーザが、ユーザ操作入力部５を介して、視聴履歴の表示を指示すると（ＳＴ４０６、ＹＥＳ）、制御部１０は、視聴履歴の表示指示に対応して、メインユーザ（特定されているユーザ）の視聴履歴又はメインユーザを中心としたユーザ別の視聴履歴の表示を指示する。これに対応して、表示部２０は、メインユーザの視聴履歴画面又はメインユーザを中心としたユーザ別の視聴履歴画面を表示する（ＳＴ４０７）。図９は、メインユーザの視聴履歴画面の一例を示す図である。
【００５１】
メインユーザを中心としたユーザ別の視聴履歴とは、メインユーザの視聴履歴、及び他のユーザの視聴履歴である。或いは、メインユーザを中心としたユーザ別の視聴履歴とは、メインユーザの視聴履歴、及びこの時点で検知されている他のユーザの視聴履歴である。なお、メインユーザを中心としたユーザ別の視聴履歴の表示だけに限定されるものではなく、特にメインユーザを区別せずに全ユーザの視聴履歴を一覧表示するようにしてもよい。例えば、ユーザＡ、Ｂ、Ｃなどの全ユーザの視聴履歴を一覧表示するようにしてもよい。
【００５２】
さらに、ユーザは、ユーザ操作入力部５を介して、閾値（視聴閾値）を設定することができる。ユーザ別の閾値を設定することもできるし、全ユーザ共通の閾値を設定することもできる。閾値の設定に対応して（ＳＴ４０８、ＹＥＳ）、制御部１０は、設定された閾値の条件にあったタイトルの表示を要求し（ＳＴ４０９）、表示部２０は、設定された閾値の条件にあったタイトルを表示する。例えば、閾値（視聴閾値）が設定されずメインユーザ（ユーザＡ）の視聴履歴が要求された場合には、図９に示すように、表示部２０は、視聴時間に関係なくメインユーザ（ユーザＡ）の視聴履歴が付いたタイトルを表示する。また、メインユーザ（ユーザＡ）に対する閾値（例えば８０％以上の視聴）が設定されると、図１０に示すように、表示部２０は、メインユーザ（ユーザＡ）の全再生時間に対して８０％以上視聴されたタイトルを表示する。また、全ユーザ共通の閾値（例えば８０％以上の視聴）が設定されると、表示部２０は、８０％以上視聴したユーザ名と、８０％以上視聴されたタイトルとを対応付けて表示することも実用上好ましい。例えば、タイトルＡがユーザＡに８０％視聴され、ユーザＢに９０％視聴された場合には、「タイトルＡ：ユーザＡ（８０％視聴）、ユーザＢ（９０％視聴）」などと表示される。
【００５３】
さらに、ユーザは、ユーザ操作入力部５を介して、図９又は図１０に示す視聴履歴画面から、表示されたタイトルの一括削除又は選択削除を指示することができ（ＳＴ４１０、ＹＥＳ）、制御部２０は、表示されたタイトルを一括削除又は選択削除する。例えば、ユーザが、ユーザ操作入力部５を介して、図９又は図１０に示す視聴履歴画面中のチェックボックスにチェックを入れて、選択削除アイコンを選択すると、制御部２０は、チェックされたタイトルを削除する。また、ユーザが、ユーザ操作入力部５を介して、図９又は図１０に示す視聴履歴画面中の一括削除アイコンを選択すると、制御部２０は、視聴履歴画面に表示されたタイトルを一括削除する。なお、上記したように、ユーザが、ユーザ操作入力部５を介して、削除を指示することもできるし、事前に上記閾値の設定及び削除の指示を入力しておくことにより、制御部２０が、自動的に削除することもできる。
【００５４】
以下、本実施形態についてまとめる。
【００５５】
（１）映像音声記録装置は、人物特定機能を用いて、現在装置を利用しているユーザを特定し、番組の記録が実行された時、予め設定された記録先情報にしたがって、記録番組の記録先を決定し、決定した記録先へ記録番組を格納する。記録番組がユーザ別に整理され、記録番組の検索が容易になる。
【００５６】
（２）映像音声記録装置は、人物特定機能を用いて、現在装置を利用しているユーザを特定し、番組の記録が実行された時、予め設定された記録先情報にしたがって、記録番組の記録先を通知し、その返答に応じて記録先を決定し、決定した記録先へ記録番組を格納する。記録番組がユーザ別に整理され、記録番組の検索が容易になる。
【００５７】
（３）映像音声記録装置は、人物特定機能を用いて、現在装置を利用しているユーザを特定し、ユーザの特定結果を利用して記録番組の再生履歴を記録し、設定された閾値を基に記録番組を削除する。ユーザ検知機能とユーザ別視聴履歴との融合により、記録番組の消去が容易になる。
【００５８】
なお、上記説明では、主に、画像認識、音声認識等を利用しユーザを特定するケースについて説明したが、パスワード入力等を利用しユーザを特定するようにしてもよい。例えば、映像音声記録装置が、ユーザからのユーザ登録要求に対応して入力されたユーザ情報とパスワード（以下、登録パスワード）と記録先とを対応付けてメモリ１３に登録する。映像音声記録装置の電源が投入されたときに、映像音声記録装置がパスワード入力を要求し、入力パスワードと登録パスワードとの一致に基づき、ユーザ（ユーザ情報）を特定する。上記したように、ユーザ情報と記録先（ユーザ別記録先情報）とが対応付けてメモリ１３に登録されているので、ユーザ（ユーザ情報）を特定した後は、映像音声記録装置は、ユーザ情報に対応付けられた記録先へ記録番組等を格納する。
【００５９】
なお、上記したモジュールとは、ハードウェアで実現するものであっても良いし、ＣＰＵ等を使ってソフトウェアで実現するものであってもよい。
【００６０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６１】
１…チューナ部、２…エンコーダ部、３…記録再生部、３１…データプロセッサ、４…デコーダ部、５…ユーザ操作入力部、６…カメラ、７…マイク、８…通信部、９…ユーザ検知部、１０…制御部、１１…残量検出部、１２…表示部、１３…メモリ、１５…ＯＳＤ処理部
【図１】
2013131966.tif 000003
【図２】
2013131966.tif 000004
【図３】
2013131966.tif 000005
【図４】
2013131966.tif 000006
【図５】
2013131966.tif 000007
【図６】
2013131966.tif 000008
【図７】
2013131966.tif 000009
【図８】
2013131966.tif 000010
【図９】
2013131966.tif 000011
【図１０】
2013131966.tif 000012